(57)【要約】【課題】始動性を確保しながら燃費を向上させることができる内燃機関の始動制御装置を提供すること。【解決手段】液体燃料のガソリンを貯蔵するガソリンタンク４と、気体燃料のＣＮＧを貯蔵するガス燃料タンク５と、エンジン２の各気筒の燃焼室内に噴射する燃料を、ガソリンタンク４に貯蔵されるガソリンと、ガス燃料タンク５に貯蔵されるＣＮＧとで切り替える燃料切替装置６と、大気圧を検出する大気圧センサ８９と、大気圧センサ８９が検出する大気圧が所定の閾値未満である場合は、始動性の良いガソリンを使用してエンジン２を始動させ、大気圧センサ８９が検出する大気圧が所定の閾値以上である場合は、燃費効率の良いＣＮＧを使用してエンジン２を始動させるＥＣＵ８とを備える。【選択図】図１
2020066997.tif 000002
【特許請求の範囲】
【請求項１】
気体燃料または液体燃料のいずれかで運転可能な内燃機関と、
大気圧を取得する大気圧取得部と、
前記大気圧が所定の閾値未満の場合には、前記液体燃料を使用して前記内燃機関を始動させ、前記大気圧が所定の閾値以上の場合には、前記気体燃料を使用して前記内燃機関を始動させる制御部と、を備える内燃機関の始動制御装置。
【請求項２】
前記制御部は、予め設定された自動停止条件が成立した場合に前記内燃機関を自動停止させ、予め設定された再始動条件が成立した場合に前記内燃機関を再始動させ、
前記再始動時の前記閾値を、前記内燃機関の初回始動時よりも高く設定する請求項１に記載の内燃機関の始動制御装置。
【請求項３】
前記制御部は、前記大気圧取得部の異常を検出した場合には、前記液体燃料を使用して前記内燃機関を始動させる請求項１または請求項２に記載の内燃機関の始動制御装置。
【発明の詳細な説明】
【技術分野】
【０００１】
本発明は、内燃機関の始動制御装置に関する。
【背景技術】
【０００２】
特許文献１には、バイフューエル内燃機関の通常始動時において、低温始動時及び高回転域は、エネルギー密度の高い液体燃料を使用し、低回転域及び中回転域は、ガス燃料を使用することが開示されている。
【先行技術文献】
【特許文献】
【０００３】
【特許文献１】特開２００４−２１１６１０号公報
【発明の概要】
【発明が解決しようとする課題】
【０００４】
しかしながら、気体燃料または液体燃料のいずれかで運転可能な内燃機関において、始動時に毎回液体燃料を使用すると、液体燃料の燃費効率が気体燃料の燃費効率より劣るため、燃費が悪化するといった課題がある。
【０００５】
一方で、低気圧時には、内燃機関の圧縮行程にてシリンダ内の温度上昇量が低下する。始動後の通常運転時には内燃機関の機関回転数が高回転で安定しているため問題ないが、始動時には、通常運転時よりも低い回転数で内燃機関の運転を開始するため、より温度上昇量が低下し、液体燃料と比較して発火点の高い気体燃料での運転が安定せず、始動性が悪化するといった課題がある。
【０００６】
そこで、本発明は、始動性を確保しながら燃費を向上させることができる内燃機関の始動制御装置を提供することを目的としている。
【課題を解決するための手段】
【０００７】
上記課題を解決するため本発明は、気体燃料または液体燃料のいずれかで運転可能な内燃機関と、大気圧を取得する大気圧取得部と、前記大気圧が所定の閾値未満の場合には、前記液体燃料を使用して前記内燃機関を始動させ、前記大気圧が所定の閾値以上の場合には、前記気体燃料を使用して前記内燃機関を始動させる制御部と、を備えるものである。
【発明の効果】
【０００８】
このように、本発明によれば、始動性を確保しながら燃費を向上させることができる。
【図面の簡単な説明】
【０００９】
【図１】図１は、本発明の一実施例に係る内燃機関の始動制御装置のブロック図である。
【図２】図２は、本発明の一実施例に係る内燃機関の始動制御装置の始動時燃料選択処理の手順を示すフローチャートである。
【図３】図３は、本発明の一実施例の他の態様に係る内燃機関の始動制御装置の始動時燃料選択処理の手順を示すフローチャートである。
【発明を実施するための形態】
【００１０】
本発明の一実施の形態に係る内燃機関の始動制御装置は、気体燃料または液体燃料のいずれかで運転可能な内燃機関と、大気圧を取得する大気圧取得部と、大気圧が所定の閾値未満の場合には、液体燃料を使用して内燃機関を始動させ、大気圧が所定の閾値以上の場合には、気体燃料を使用して内燃機関を始動させる制御部と、を備えるよう構成されている。
【００１１】
これにより、本発明の一実施の形態に係る内燃機関の始動制御装置は、始動性を確保しながら燃費を向上させることができる。
【実施例】
【００１２】
以下、図面を参照して、本発明の実施例に係る内燃機関の始動制御装置について詳細に説明する。
【００１３】
図１において、本発明の一実施例に係る内燃機関の自動停止制御装置を搭載した車両１は、内燃機関としてのエンジン２と、変速機３と、制御部としてのＥＣＵ（Electronic Control Unit）８とを含んで構成される。
【００１４】
エンジン２には、複数の気筒が形成されている。本実施例において、エンジン２は、各気筒に対して、吸気行程、圧縮行程、膨張行程および排気行程からなる一連の４行程を行なうように構成されている。
【００１５】
エンジン２には、スタータ２１が連結されている。スタータ２１は、エンジン２のクランクシャフトに連結されている。スタータ２１は、電力が供給されることにより回転することでクランクシャフトを回転させて、エンジン２に始動時の回転力を与える。
【００１６】
このエンジン２は、各気筒の燃焼室内に噴射する燃料として、液体燃料のガソリンと気体燃料のＣＮＧの２種の燃料から、一つが選択されて供給される。エンジン２は、ガソリンタンク４に貯蔵されるガソリンを燃焼室内に供給するガソリン供給系と、ガス燃料タンク５に高圧で貯蔵されるＣＮＧを燃焼室内に供給するガス燃料供給系とを備えている。
【００１７】
燃料切替装置６は、エンジン２の各気筒の燃焼室内に噴射する燃料を切り替える。燃料切替装置６は、ＥＣＵ８の制御により、エンジン２の各気筒の燃焼室内に噴射する燃料を、ガソリンタンク４に貯蔵されるガソリンと、ガス燃料タンク５に貯蔵されるＣＮＧとで切り替える。
【００１８】
変速機３は、エンジン２から出力された回転を変速し、駆動軸１１を介して駆動輪１０を駆動する。変速機３は、図示しない平行軸歯車機構からなる常時噛合式の変速機構を備えている。変速機３は、運転者による図示しないシフトレバーの操作に応じて、変速機構における変速段を選択するようになっている。
【００１９】
変速機３は、シフトレバーの操作に応じて、例えば、所定の変速比に対応する１速〜５速の変速状態、エンジン２から出力された回転を駆動軸１１に伝達しないニュートラル状態、車両１を後進させるためのリバース状態のいずれかの状態をとる。
【００２０】
エンジン２と変速機３の間には、例えば乾式単板式のクラッチ３１が設けられており、クラッチ３１は、エンジン２と変速機３との間の動力伝達を接続または切断する。
【００２１】
このクラッチ３１における動力伝達の接続状態と切断状態との間の状態の遷移は、クラッチペダル８１の踏み込み位置、すなわちクラッチストロークに対応している。
【００２２】
クラッチペダル８１が踏み込まれていない状態では、クラッチ３１は接続状態となり、クランクシャフトの回転が変速機３に伝達される。
【００２３】
一方、クラッチペダル８１が踏み込まれている状態では、クラッチ３１は切断状態となり、クランクシャフトから変速機３への動力の伝達が切断される。
【００２４】
クラッチペダル８１には、クラッチペダルスイッチ８２が設けられている。クラッチペダルスイッチ８２は、クラッチ３１が切断状態か否かを検出する。
【００２５】
ＥＣＵ８は、ＣＰＵ（Central Processing Unit）と、ＲＡＭ（Random Access Memory）と、ＲＯＭ（Read Only Memory）と、バックアップ用のデータなどを保存するフラッシュメモリと、入力ポートと、出力ポートとを備えたコンピュータユニットによって構成されている。
【００２６】
このコンピュータユニットのＲＯＭには、各種定数や各種マップ等とともに、当該コンピュータユニットをＥＣＵ８として機能させるためのプログラムが格納されている。
【００２７】
すなわち、ＣＰＵがＲＡＭを作業領域としてＲＯＭに格納されたプログラムを実行することにより、このコンピュータユニットは、本実施例におけるＥＣＵ８として機能する。
【００２８】
ＥＣＵ８の入力ポートには、前述のクラッチペダルスイッチ８２に加え、使用燃料選択スイッチ９、アクセル開度センサ８４、ブレーキスイッチ８６、車速センサ８７、水温センサ８８、大気圧取得部としての大気圧センサ８９等の各種センサ類が接続されている。
【００２９】
使用燃料選択スイッチ９は、運転者の操作を受け付け、エンジン２の各気筒の燃焼室内に噴射する燃料として、ガソリンとＣＮＧのどちらかを選択する信号を出力する。ＥＣＵ８は、使用燃料選択スイッチ９からの信号に従って、エンジン２の各気筒の燃焼室内に噴射する燃料を切り替える。
【００３０】
アクセル開度センサ８４は、運転者によって操作されるアクセルペダル８３の開度であるアクセル開度を検出する。ブレーキスイッチ８６は、ブレーキペダル８５が運転者により踏み込まれたか否かを検出する。車速センサ８７は、駆動輪１０の回転速度などから車両１の速度を検出する。
【００３１】
水温センサ８８は、エンジン２の冷却水の温度を検出する。大気圧センサ８９は、大気圧を検出する。
【００３２】
一方、ＥＣＵ８の出力ポートには、前述の燃料切替装置６、スタータ２１、に加え、図示しないインジェクタを含む各種制御対象類が接続されている。インジェクタは、エンジン２に燃料を供給する。ＥＣＵ８は、スタータ２１やインジェクタを制御することで、エンジン２の始動や停止、出力トルクなどを制御する。
【００３３】
ＥＣＵ８は、予め設定された自動停止条件が成立するとエンジン２を停止させ、予め設定された再始動条件が成立するとエンジン２を再始動させるアイドリングストップ機能を制御するようになっている。
【００３４】
自動停止条件としては、例えば、車速が所定車速以下であること、変速機３がニュートラル状態であること、ブレーキペダル８５が踏み込まれたこと、クラッチペダル８１が踏み込まれていない状態であること、アクセル開度が所定開度以下であること、などの全てが成立したことを条件とする。一方、再始動条件としては、例えば、変速機３がニュートラル状態において、クラッチペダル８１が踏み込まれたこと、ブレーキペダル８５の踏み込みがないこと、などの何れかが成立したことを条件とする。
【００３５】
ＥＣＵ８は、大気圧センサ８９が検出する大気圧が所定の閾値未満である場合は、始動性の良いガソリンを使用してエンジン２を始動させ、大気圧センサ８９が検出する大気圧が所定の閾値以上である場合は、燃費効率の良いＣＮＧを使用してエンジン２を始動させる。
【００３６】
ＥＣＵ８は、大気圧センサ８９が異常となり大気圧を取得できない場合には、ガソリンを使用してエンジン２を始動させる。
【００３７】
以上のように構成された本実施例に係る内燃機関の始動制御装置による始動時燃料選択処理について、図２を参照して説明する。なお、以下に説明する始動時燃料選択処理は、エンジン始動時に実行される。
【００３８】
ステップＳ１において、ＥＣＵ８は、エンジン始動条件（前述の再始動条件も含む）が成立したか否かを判定する。エンジン始動条件が成立していないと判定した場合、ＥＣＵ８は、処理を終了する。
【００３９】
エンジン始動条件が成立したと判定した場合、ステップＳ２において、ＥＣＵ８は、大気圧センサに故障があるか否かを判定する。大気センサに故障があると判定した場合、ステップＳ４において、ＥＣＵ８は、始動性の良いガソリンを、始動に使用する燃料として選択する。
【００４０】
ステップＳ２において、大気センサに故障がないと判定した場合、ステップＳ３において、ＥＣＵ８は、大気圧センサ８９が検出する大気圧が所定の閾値未満であるか否かを判定する。大気圧が所定の閾値未満であると判定した場合、ステップＳ４において、ＥＣＵ８は、始動性の良いガソリンを、始動に使用する燃料として選択する。
【００４１】
大気圧が所定の閾値未満でないと判定した場合、ステップＳ５において、ＥＣＵ８は、燃費効率の良いＣＮＧを、始動に使用する燃料として選択する。
【００４２】
ステップＳ６において、ＥＣＵ８は、ステップＳ４またはステップＳ５において選択された燃料を使用してエンジン２を始動させる。
【００４３】
このように、本実施例では、大気圧センサ８９が検出する大気圧が所定の閾値未満である場合は、ＣＮＧより発火点が低く、始動性の良いガソリンを使用してエンジン２を始動させ、大気圧センサ８９が検出する大気圧が所定の閾値以上である場合は、燃費効率の良いＣＮＧを使用してエンジン２を始動させる。
【００４４】
これにより、低気圧時には始動性に優れた液体燃料により始動することで始動性を確保し、低気圧以外のときは、燃費効率の良い気体燃料により始動することで燃費を向上させることができる。
【００４５】
また、大気圧センサ８９が故障した場合には、常に始動性の良い液体燃料を使用して始動しているため、仮に低気圧の状態であっても確実にエンジン２を始動させることができる。
【００４６】
本実施例の他の態様としては、ＥＣＵ８は、イグニッションキーやイグニッションスイッチのオンによりエンジン２を始動させる初回始動時と、前述の自動停止後にエンジン２を始動させる再始動時とでは、再始動時の大気圧の閾値を初回始動時の大気圧の閾値よりも高く設定する。
【００４７】
このように構成された、本実施例の他の態様に係る内燃機関の始動制御装置による始動時燃料選択処理について、図３を参照して説明する。なお、以下に説明する始動時燃料選択処理は、エンジン始動時に実行される。
【００４８】
前述の実施例と同様に、ステップＳ１において、ＥＣＵ８は、エンジン始動条件（前述の再始動条件も含む）が成立したか否かを判定する。エンジン始動条件が成立していないと判定した場合、ＥＣＵ８は、処理を終了する。
【００４９】
エンジン始動条件が成立したと判定した場合、ステップＳ１１において、ＥＣＵ８は、エンジン始動がアイドリングストップからの再始動であるか否かを判定する。再始動であると判定した場合、ステップＳ１２において、大気圧を判定する閾値として値の高い高大気圧閾値を選択する。
【００５０】
再始動ではないと判定した場合、ステップＳ１３において、大気圧を判定する閾値として高大気圧閾値よりも値の低い低大気圧閾値を選択する。
【００５１】
ステップＳ２において、ＥＣＵ８は、大気圧センサに故障があるか否かを判定する。大気センサに故障があると判定した場合、ステップＳ４において、ＥＣＵ８は、始動性の良いガソリンを、始動に使用する燃料として選択する。
【００５２】
ステップＳ２において、大気センサに故障がないと判定した場合、ステップＳ３において、ＥＣＵ８は、ステップＳ１２またはステップＳ１３において選択された閾値を使って、前述の実施例と同様に、大気圧センサ８９が検出する大気圧が選択された閾値未満であるか否かを判定する。大気圧が所定の閾値未満であると判定した場合、ステップＳ４において、ＥＣＵ８は、始動性の良いガソリンを、始動に使用する燃料として選択する。
【００５３】
大気圧が所定の閾値未満でないと判定した場合、ステップＳ５において、ＥＣＵ８は、燃費効率の良いＣＮＧを、始動に使用する燃料として選択する。
【００５４】
ステップＳ６において、ＥＣＵ８は、ステップＳ４またはステップＳ５において選択された燃料を使用してエンジン２を始動させる。
【００５５】
このように、本実施例の他の態様では、再始動時の大気圧の閾値を初回始動時の大気圧の閾値よりも高く設定しているため、再始動時の液体燃料により始動させる大気圧域を拡大し、低気圧による始動性の低下によって発進がもたつくことを、抑制することができる。
【００５６】
初回始動と再始動とのいずれの始動時においても、運転者が発進操作を行なう前にエンジン２の始動を完了しないと発進がもたつくこととなる。また、再始動時は、初回始動時と比べ始動から発進操作までの時間が短い。このため、再始動時には液体燃料により始動させる大気圧域を拡大し、低気圧による始動性の低下によって発進がもたつくことを、抑制している。
【００５７】
なお、本実施例においては、変速機３として、マニュアルトランスミッションの場合を示したが、自動変速機のＣＶＴ（Continuously Variable Transmission）、ＡＴ（Automatic Transmission）、ＤＣＴ（Dual Clutch Transmission）、ＡＭＴ（Automated Manual Transmission）などであっても、同様の効果が得られる。
【００５８】
また、バイフューエルエンジンのみで駆動するバイフューエルエンジン搭載車両の場合を示したが、駆動用電動モータを搭載するストロングハイブリッド車両や、発電だけでなくエンジン始動機能を備えた電動モータを搭載するマイルドハイブリッド車両であっても、バイフューエルエンジンを搭載していれば同様に実施することができる。
【００５９】
また、大気圧取得部として大気圧センサ８９を用いたが、ＧＮＳＳ（Global Navigation Satellite System）衛生からの電波により位置情報を取得し、位置情報に基づいて通信により取得した気象情報により大気圧を取得するように構成してもよい。
【００６０】
本実施例では、各種センサ情報に基づきＥＣＵ８が各種の判定や算出を行なう例について説明したが、これに限らず、車両１が外部サーバ等の車外装置と通信可能な通信部を備え、該通信部から送信された各種センサの検出情報に基づき車外装置によって各種の判定や算出が行なわれ、その判定結果や算出結果を通信部で受信して、その受信した判定結果や算出結果を用いて各種制御を行なってもよい。
【００６１】
本発明の実施例を開示したが、当業者によっては本発明の範囲を逸脱することなく変更が加えられうることは明白である。すべてのこのような修正及び等価物が次の請求項に含まれることが意図されている。
【符号の説明】
【００６２】
１  車両
２  エンジン
６  燃料切替装置
８  ＥＣＵ（制御部）
９  使用燃料選択スイッチ
２１  スタータ
８９  大気圧センサ（大気圧取得部）
【図１】
2020066997.tif 000003
【図２】
2020066997.tif 000004
【図３】
2020066997.tif 000005